(57)【特許請求の範囲】
【請求項１】
店に陳列される製品の安全保護のためのトランスポンダー（１）であって、接触表面（４、５）を個々に備える２つのブロック（２、３）を備え、前記接触表面が向かい合って配置され、また、互いに対して実質的に平行であり、前記ブロックが、前記接触表面の上方のそれらの上部表面に突起（６、７）を備え、調整可能な接続部（１０）が前記突起（６、７）を接続し、それにより互いにより接近する方向の動き、あるいは互いに対して前記ブロック（２、３）から遠ざかる方向への動きを手動で調節することができ、したがって前記ブロック（２、３）の前記接触表面（４、５）間の要素を握ることにより、前記製品の適切な要素（１５）に前記トランスポンダーを取り付けることができ、前記ブロックのうちの一方が無線検出および送信機器を備え、したがって前記適切な要素（１５）上における前記トランスポンダーの存在を遠隔で管理することができる、トランスポンダー（１）。
【請求項２】
前記接触表面（４、５）は、実質的に長方形の形状を有し、前記表面の縦方向が前記適切な要素（１５）の縦方向に対して平行になるような方法で配置されるように構成される、請求項１に記載のトランスポンダー（１）。
【請求項３】
前記調整可能な接続部（１０）は、ねじ接続部である、請求項１または２に記載のトランスポンダー（１）。
【請求項４】
前記接触表面（４、５）は、弾力性のある圧縮可能な材料でできた層を備える、請求項１から３のいずれか一項に記載のトランスポンダー（１）。
【請求項５】
前記検出および送信機器は、エネルギー源、例えば電池、電気検出回路および電気送信回路を備え、前記検出回路は、２つの状態のうちのいずれか一方に起動することができる少なくとも１つのスイッチを備え、前記スイッチの前記状態は前記適切な要素（１５）への前記トランスポンダー（１）の取付けに応じて決定され、前記スイッチは前記検出回路に統合され、したがって前記スイッチの前記状態が前記検出回路により検出可能であり、前記送信回路は前記検出回路に接続され、したがって前記送信回路が前記スイッチの前記状態に関連する信号を放出することができる、請求項１から４のいずれか一項に記載のトランスポンダー（１）。
【請求項６】
前記検出機器を備える前記ブロック（２）の前記接触表面（４）は、少なくとも１つの押しボタン（１６）を備え、前記押しボタン（１６）は、
前記トランスポンダーが前記適切な要素（１５）に取り付けられると、もう一方の前記ブロックの前記接触表面（５）によって加えられる圧力によって押され、
前記トランスポンダー（１）が前記適切な要素（１５）から取り外されると自動的に解放され、前記ボタン（１６）の押された状態または解放された状態に応じて前記スイッチの前記状態が変化する方法で前記ボタン（１６）がスイッチに接続される
ように構成されている、請求項５に記載のトランスポンダー（１）。
【請求項７】
前記検出機器は、前記ブロック（２）の接触表面（４）の縦方向の端部に配置され位置決めされた２つの押しボタン（１６）を備え、前記２つの押しボタンは直列に結合されたスイッチに接続され、前記検出および送信機器の前記電池によって電力が供給される回路の一部を形成し、それにより少なくとも１つの押しボタンの解放による少なくとも１つのスイッチの開放によって電力供給を切断し、または遮断を生成する、請求項６に記載のトランスポンダー（１）。
【請求項８】
前記送信回路は、電子チップであり、前記電子チップは、前記チップの周りに画定される構成可能な局所周囲においてのみ受け取ることができる信号を送信するように構成されている、請求項６または７に記載のトランスポンダー（１）。
【発明の詳細な説明】
【技術分野】
【０００１】
本発明は、眼鏡または時計などの高級品のために店で使用することができる安全保護システムに関する。
【背景技術】
【０００２】
店に陳列される製品を保護するために、製品に取り付けられたＲＦＩＤ（無線周波数識別）チップを使用しているシステムが知られている。これらのシステムは、専用のデバイスまたは一丁のはさみを使用して購入時にレジで取り外さなければならない、かさばる機械式チップ締付け具の使用、ならびにかさばる基礎構造の設置、特に店の出口に設置されるスキャナーが必要である。
【０００３】
製品と陳列台の間のワイヤーを使用することにより、陳列台の上に設置された製品の前記陳列台からの移動を防止するワイヤー・タイプの盗難防止システムも同じく知られている。これらのシステムは、同じく陳列台上における製品の存在を管理することができる。しかしながらこれらのシステムはかさばり、また、それらは顧客による製品の試用を妨害することが多い。
【発明の概要】
【発明が解決しようとする課題】
【０００４】
本発明の目的は、製品に接続することができ、また、製品を安全に保護することができる、上で説明した不都合がないトランスポンダーを提供することである。
【課題を解決するための手段】
【０００５】
この目的は、添付の特許請求の範囲に記載されているトランスポンダーによって達成される。本発明によるトランスポンダーは、接触表面を個々に備える２つのブロックを備えており、接触表面は向かい合って配置され、ブロックは、互いにより接近する方向の動き、あるいは互いに対してブロックから遠ざかる方向への動きを手動で調節することができる調整可能な接続部によって互いに接続され、したがってブロックの接触表面間の要素を握ることにより、前記製品の適切な要素、例えば細長い要素にトランスポンダーを取り付けることができ、ブロックのうちの一方は無線検出および送信機器を備えており、したがって細長い要素上におけるトランスポンダーの存在を遠隔で管理することができる。
【０００６】
本発明によるトランスポンダーは、レジにおける取外しが容易である。ＢＬＥ通信などの無線および局所通信による監視により、出口におけるスキャナーを必要とすることなく、店の中の製品の存在を監視することができる。顧客は、ワイヤー安全保護によって邪魔されることなく、店の中の製品を取り扱うことができる。
【０００７】
本発明の他の特徴および利点は、添付の図面を参照して非制限の例として提供される、好ましい実施形態についての以下の説明の中で明らかになるであろう。
【図面の簡単な説明】
【０００８】
【図１】本発明の好ましい実施形態によるトランスポンダーを示す図である。
【図２】眼鏡のつるに取り付けられた、図１のトランスポンダーを示す図である。
【図３】図１のトランスポンダー内の電子構成要素の図である。
【発明を実施するための形態】
【０００９】
図１は、以下、本発明による「タグ」と呼ばれるトランスポンダー１を示したものである。タグ１は、実質的に長方形の形状を有する２つのブロック２および３を備えている。それぞれのブロックの２つの横方向の平らな表面４および５は、向かい合って、互いに対して実質的に平行に取り付けられている。ブロック２および３は、接触表面４、５の上方のそれらの上面の中央にそれぞれの突起６および７を備えており、前記突起は、調整可能な接続部によって互いに接続されている。示されている実施形態では、これはねじ接続部１０である。ワッシャー１１の回転は、ワッシャー１１が回転すると、第１のブロック２の中に提供されている、ねじが切られた孔に対するスリーブ１２の軸方向の動きを駆動する方法で、そのねじが切られたスリーブ１２を回転させる。ロッド１３は、スリーブ１２を第２のブロック３に接続している。ワッシャー１１を手で回転させると、ブロック２および３の互いにより接近する方向の動き、あるいはそれらを分離する方向への動きを駆動する。したがってブロック２および３の接触表面４と５の間の細長い要素を握ることにより、また、ワッシャー１１をしっかりと締めることにより、適切な要素、例えば丸いロッドまたは平らなロッドなどの細長い要素の上にタグ１を締め付けることができる。
【００１０】
眼鏡のつる１５へのタグ１の取付けは図２に示されている。ブロック２および３の接触表面４および５、すなわちつる１５と接触する表面は、弾性可撓材料でできた層を備えていることが好ましく、それにより弾性材料が圧縮されるまでワッシャー１１をしっかりと締めることにより、保護されるべき製品の外観を損なうことなくタグ１を締め付けることができる。つるまたはロッドがブロックより細い丸い断面を有している場合、弾性層は、ワッシャー１１がしっかりと締められると、高抵抗締付けを実施する方法でつるの周りをつかむことになる。
【００１１】
第１のブロック２は検出および送信機器をさらに備えており、それにより安全保護される製品上のタグ１の存在を管理することができる。一般に、検出および送信機器は、エネルギー源、例えば電池、検出回路、および無線接続によって信号を送信するための回路を備えている。電池は無線充電式電池であることが好ましい。検出回路は、「接続状態」または「開放状態」と呼ばれる２つの状態のうちのいずれか一方に起動することができる少なくとも１つの電気スイッチを含む。スイッチは、タグが製品に取り付けられると、２つの状態のうちの一方の状態になるように構成される。さらに、スイッチは、タグが製品から取り外されると、もう一方の状態に自動的に変化する。送信回路は、ＢＬＥ（ブルートゥース低エネルギー）チップなどの無線通信のための電子チップであってもよい。送信回路は検出回路に接続され、スイッチの状態に関連する信号を放出するように構成される。
【００１２】
図示されている実施形態では、検出および送信機器を備えるブロック２は、例えばブロック２の接触表面４の縦方向の端部に配置された２つの押しボタン１６を備えている。ボタン１６は、図３のブロック２の正面図で見ることができる。タグ１が製品に取り付けられていない場合、ボタン１６は接触表面の平面から突出する。タグが製品のロッドまたはつるの上に設置され、また、ねじ接続部１０がしっかりと締められると、もう一方のブロック３の接触表面５が、接触表面の互いに接近する動きの末端に向かってボタン１６と接触する。この接触により、ねじ接続部１０がしっかりと締められると、タグの締付け力によって２つのボタン１６が押される。ボタン１６は、ボタン１６の押付けまたは解放により、スイッチの「接続された」または「開放された」状態のうちのいずれか一方が起動される方法で２つのそれぞれのスイッチ（図示せず）に接続されている。ボタン１６は、締付け力が除去されると、すなわちタグが製品から取り外されると、ボタンを自動的に解放するばねまたは等価機構を備えている。したがって検出回路は、スイッチの実施形態およびそれらの接続部の実施形態に応じて複数の形態を取ることができる。例えば２つのスイッチを直列に結合して、検出および送信機器の電池によって電力が供給される単純な回路の一部を形成し、それにより少なくとも１つのスイッチの開放、すなわち少なくとも１つの押しボタンの解放によって電力供給を切断する、または遮断を生成することができる。この遮断は検出回路によって検出され、また、送信回路によって特定の信号に変換される。当業者には、添付の特許請求の範囲を逸脱することなく、他のもっと複雑な構成が可能である。
【００１３】
本発明によるタグによる製品の安全保護は、タグの内部の送信回路と、製品が陳列される店内ではあるが、タグから距離を隔てた受信機デバイスとの間の無線通信に基づいている。例えばＢＬＥチップは、携帯電話、またはタグの周りに画定される構成可能な周囲に配置されるタブレットなどの１つまたは複数の受信機デバイスが受け取ることができる信号を送ることができる。ＢＬＥ技術によれば、告知フレームまたは通知フレームと呼ばれる一連のデータをチップから連続的に送ることができる。連続フレームは、安全保護される製品を符号によって識別し、また、ボタンの状態、したがってスイッチの状態に対応する識別子を使用して符号化することができる。これらの通知フレームを連続的に送ることにより、責任者は、特定の数の製品上におけるタグの存在を常に管理することができる。許可されていない者によってタグが取り外されると、この変化は、ただちに通知フレーム中で表現され、例えば可聴警報信号の形態で携帯電話またはタブレット上に信号発信される。携帯電話は、タグとの通信を管理し、また、タグが取り外された製品の識別子をユーザに示すデジタル・アプリケーションを備えており、したがってユーザは製品をチェックすることができる。
【００１４】
本発明によるトランスポンダーは、レジにおける取外しが容易である。ねじ接続部を抜き取り、また、この抜取りが許可された取外しであることを、タグ取外しの担当者が自分の携帯電話またはタブレットを介して記録することができることを保証することで十分である。ＢＬＥ通信などの無線および局所通信による監視により、出口におけるスキャナーを必要とすることなく、店の中の製品の存在を監視することができる。顧客は、ワイヤー安全保護によって邪魔されることなく、店の中の製品を取り扱い、また、試用することができる。
【符号の説明】
【００１５】
１  トランスポンダー（タグ）
２  ブロック（第１のブロック）
３  ブロック（第２のブロック）
４  横方向の平らな表面
５  横方向の平らな表面
６  突起
７  突起
１０  ねじ接続部
１１  ワッシャー
１２  スリーブ
１３  ロッド
１５  眼鏡のつる（適切な要素）
１６  押しボタン
【図１】
0006923717.tif 000002
【図２】
0006923717.tif 000003
【図３】
0006923717.tif 000004